(57)【要約】【課題】  フォルダ内の画像ファイル等を矩形枠等で簡略化して表示することによりフォルダの全体イメージを損なうことなくナビゲーション用ウィンドウを表示でき、またウィンドウのリサイズや再描画の場合にもユーザが不快感を感じることなく高速にナビゲーション用ウィンドウを表示することができる画像表示装置及び画像表示方法を提供する。【解決手段】  画像ファイル及びフォルダが階層的に記憶されている記憶部２０１から選択部２０２を用いてフォルダを選択する。表示部２０８ではメインウィンドウでフォルダ内に含まれる画像ファイルの縮小画像等を一覧表示し、ナビゲーション用ウィンドウで当該一覧表示された画像ファイルの縮小画像等を矩形枠を用いて簡略化して表示する。設定部２０４で注目領域が設定されると、その領域の画像ファイルの縮小画像等がメインウィンドウに拡大表示される。【選択図】  図２
2006072523.tif 000002
【特許請求の範囲】
【請求項１】
画像ファイル及び該画像ファイルを格納するためのフォルダが階層的に記憶されている記憶装置から所定のフォルダを選択する選択手段と、
前記選択手段によって選択されたフォルダ内に含まれる画像ファイルの縮小画像及び下位フォルダを示す画像を第１の画面内に階層構造を維持させたまま一覧表示する一覧表示手段と、
前記第１の画面内に一覧表示された画像ファイルの縮小画像及び下位フォルダを示す画像をそれぞれ簡略画像を用いて第２の画面内に簡略化して表示する簡略表示手段と、
前記第１の画面内に拡大表示すべき一覧表示中の注目領域を前記第２の画面内で設定する設定手段と、
前記設定手段によって設定された前記注目領域に相当する前記一覧表示中の領域に含まれる画像ファイルの縮小画像及び下位フォルダを示す画像を前記第１の画面内に拡大表示する拡大表示手段と
を備えることを特徴とする画像表示装置。
【請求項２】
前記簡略表示手段が、前記第２の画面内に表示される画像ファイルの縮小画像及び下位フォルダを示す画像の簡略画像を矩形枠で表示することを特徴とする請求項１に記載の画像表示装置。
【請求項３】
前記簡略表示手段が、所定サイズ以上の画像ファイルの縮小画像及び下位フォルダを示す画像の簡略画像のみを前記第２の画面内に表示することを特徴とする請求項１又は２に記載の画像表示装置。
【請求項４】
前記簡略表示手段によって前記第２の画面内において下位フォルダを示す画像の簡略画像が非表示になるサイズは、画像ファイルの縮小画像の簡略画像が非表示となるサイズよりも小さいことを特徴とする請求項３に記載の画像表示装置。
【請求項５】
前記簡略表示手段が、前記選択手段によって選択されたフォルダから所定階層までの階層に存在する下位フォルダを示す画像及び画像ファイルの縮小画像の簡略画像のみを表示することを特徴とする請求項１から４までのいずれか１項に記載の画像表示装置。
【請求項６】
前記簡略表示手段によって前記第２の画面内において下位フォルダの縮小画像の簡略画像が非表示になる階層は、画像ファイルの縮小画像の簡略画像が非表示となる階層よりも下位であることを特徴とする請求項５に記載の画像表示装置。
【請求項７】
前記簡略表示手段が、前記第２の画面内に表示される下位フォルダを示す画像の簡略画像と画像ファイルの縮小画像の簡略画像とをそれぞれ異なる表示態様で表示することを特徴とする請求項１から６までのいずれか１項に記載の画像表示装置。
【請求項８】
画像ファイル及び該画像ファイルを格納するためのフォルダが階層的に記憶されている記憶装置から所定のフォルダを選択する選択手段と、
前記選択手段によって選択されたフォルダ内に含まれる画像ファイルの縮小画像及び下位フォルダを示す画像を第１の画面内に階層構造を維持させたまま一覧表示する一覧表示手段と、
前記第１の画面内に表示された下位フォルダを示す画像のみを簡略画像を用いて第２の画面内に簡略化して表示する簡略表示手段と、
前記第１の画面内に拡大表示すべき注目領域を前記第２の画面内で設定する設定手段と、
前記設定手段によって設定された前記注目領域に相当する前記一覧表示中の領域に含まれる画像ファイルの縮小画像及び下位フォルダを示す画像を前記第１の画面内に拡大表示する拡大表示手段と
を備えることを特徴とする画像表示装置。
【請求項９】
前記簡略表示手段が、前記第２の画面内に表示される下位フォルダを示す画像の簡略画像を矩形枠のみで表示することを特徴とする請求項８に記載の画像表示装置。
【請求項１０】
前記簡略表示手段が、所定サイズ以上の下位フォルダを示す画像の簡略画像のみを前記第２の画面内に表示することを特徴とする請求項８又は９に記載の画像表示装置。
【請求項１１】
前記簡略表示手段が、前記選択手段によって選択されたフォルダから所定階層までの階層に存在する下位フォルダを示す画像の簡略画像のみを表示することを特徴とする請求項８から１０までのいずれか１項に記載の画像表示装置。
【請求項１２】
画像ファイル及び該画像ファイルを格納するためのフォルダが階層的に記憶されている記憶装置から所定のフォルダを選択する選択工程と、
前記選択工程によって選択されたフォルダ内に含まれる画像ファイルの縮小画像及び下位フォルダを示す画像を第１の画面内に階層構造を維持させたまま一覧表示する一覧表示工程と、
前記第１の画面内に一覧表示された画像ファイルの縮小画像及び下位フォルダを示す画像をそれぞれ簡略画像を用いて第２の画面内に簡略化して表示する簡略表示工程と、
前記第１の画面内に拡大表示すべき一覧表示中の注目領域を前記第２の画面内で設定する設定工程と、
前記設定工程によって設定された前記注目領域に相当する前記一覧表示中の領域に含まれる画像ファイルの縮小画像及び下位フォルダを示す画像を前記第１の画面内に拡大表示する拡大表示工程と
を有することを特徴とする画像表示方法。
【請求項１３】
画像ファイル及び該画像ファイルを格納するためのフォルダが階層的に記憶されている記憶装置から所定のフォルダを選択する選択工程と、
前記選択工程によって選択されたフォルダ内に含まれる画像ファイルの縮小画像及び下位フォルダを示す画像を第１の画面内に階層構造を維持させたまま一覧表示する一覧表示工程と、
前記第１の画面内に表示された下位フォルダを示す画像のみを簡略画像を用いて第２の画面内に簡略化して表示する簡略表示工程と、
前記第１の画面内に拡大表示すべき注目領域を前記第２の画面内で設定する設定工程と、
前記設定工程によって設定された前記注目領域に相当する前記一覧表示中の領域に含まれる画像ファイルの縮小画像及び下位フォルダを示す画像を前記第１の画面内に拡大表示する拡大表示工程と
を有することを特徴とする画像表示方法。
【請求項１４】
請求項１２又は１３に記載の画像表示方法をコンピュータに実行させるためのプログラム。
【請求項１５】
請求項１４に記載のプログラムを格納したことを特徴とするコンピュータ読み取り可能な記録媒体。
【発明の詳細な説明】
【技術分野】
【０００１】
本発明は、フォルダ内に階層的に分類されて記憶されている画像ファイル及び下位フォルダを表示する画像表示装置及び画像表示方法に関する
【背景技術】
【０００２】
近年、デジタルカメラの普及やインターネットのブロードバンド化に伴い、ユーザはデジタルカメラや、友人からのＥｍａｉｌに添付された画像や、ホームページからの静止画や動画のダウンロードなど、手軽に大量の画像を入手できるようになった。そのため、ユーザは大量の画像を管理する必要が生じている。
【０００３】
図１５は、従来の画像管理装置による画像管理画面の表示例を示す図である。図１５において、操作者は１５０１のツリービュー内のフォルダを指定することで、そのフォルダ内にあるファイルのサムネイルを表示することができる。１５０２は表示モードを切り替えることのできるプルダウンメニューである。画像管理ソフトウェアは画像ファイル内や別ファイルにサムネイル画像があれば表示にはそれを用い、なければオリジナル画像からサムネイルを作成し、そのサムネイルをブラウザウインドウ（以下、「ＢＷ」と称す。）１５０３内に一覧表示する。１５０４は、標準的に実装されているアプリケーションのウィンドウ表示をコントロールするボタンである（左から「最小化」、「最大化」、「閉じる」）。また、１５０５は、フォルダ内に大量の画像が存在する場合、ＢＷ１５０３の横に表示されるスクロールバーである。
【０００４】
また、従来から、画像管理ソフトウェアにおいて、フォルダを素通しでみせることによって、サムネイルをすべて見せるモード（ズームモード）が存在した。この場合、画像ファイルと同一階層に存在する下位フォルダがあれば、当該画像ファイルと並列にその下位フォルダが表示され、当該下位フォルダ内にはさらにその中に含まれる画像のサムネイルが表示される。
【０００５】
さらに、従来から、画面を拡大して表示すること、及び拡大表示を行ったときに全体像を表すナビゲータパレットを表示する技術が知られている（例えば、非特許文献１）
【非特許文献１】「Adobe Photoshop 4.0J ユーザガイド」、”第２章  作業領域  ナビゲータパレットの使用”、Part number 90005035(10/97)、p.30
【発明の開示】
【発明が解決しようとする課題】
【０００６】
しかしながら、上述したような従来の画像管理方法においては、画像が多くなると表示されるサムネイルが小さくなるという欠点があった。また、ある程度の大きさを有する画像として表示した場合には、ユーザは、上述したスクロールバー１５０５を用いて目的の画像を検索する必要があり、操作上非常に不便であった。そこで、このような欠点を解決するために、ズームモードの画面を拡大して表示することが考えられる。そして、このような部分的に画面の拡大を行ったときに、ユーザの便宜等のために全体像をあらわす画面を表示するためにナビゲーション用のウィンドウを表示することが考えられる。
【０００７】
ここで、ナビゲーション用のウィンドウを実現する方法として、元の画像を縮小したサムネイル（縮小画像）を用いることが考えられる。しかし、元の画像の縮小画像をナビゲーション用のウィンドウ内に描画した場合には、当該ウィンドウをリサイズしたり再描画させるような場合に、ウィンドウに表示される縮小画像の描画に時間がかかり、スムーズな画像表示ができない場合がある。
【０００８】
本発明は、このような事情を考慮してなされたものであり、フォルダ内の画像ファイル等を矩形枠等で簡略化して表示することによりフォルダの全体イメージを損なうことなくナビゲーション用ウィンドウを表示でき、またウィンドウのリサイズや再描画の場合にもユーザが不快感を感じることなく高速にナビゲーション用ウィンドウを表示することができる画像表示装置及び画像表示方法を提供することを目的とする。
【課題を解決するための手段】
【０００９】
上記課題と解決するために、本発明に係る画像表示装置は、
画像ファイル及び該画像ファイルを格納するためのフォルダが階層的に記憶されている記憶装置から所定のフォルダを選択する選択手段と、
前記選択手段によって選択されたフォルダ内に含まれる画像ファイルの縮小画像及び下位フォルダを示す画像を第１の画面内に階層構造を維持させたまま一覧表示する一覧表示手段と、
前記第１の画面内に一覧表示された画像ファイルの縮小画像及び下位フォルダを示す画像をそれぞれ簡略画像を用いて第２の画面内に簡略化して表示する簡略表示手段と、
前記第１の画面内に拡大表示すべき一覧表示中の注目領域を前記第２の画面内で設定する設定手段と、
前記設定手段によって設定された前記注目領域に相当する前記一覧表示中の領域に含まれる画像ファイルの縮小画像及び下位フォルダを示す画像を前記第１の画面内に拡大表示する拡大表示手段と
を備えることを特徴とする。
【００１０】
また、上記課題を解決するために、本発明に係る画像表示装置は、
画像ファイル及び該画像ファイルを格納するためのフォルダが階層的に記憶されている記憶装置から所定のフォルダを選択する選択手段と、
前記選択手段によって選択されたフォルダ内に含まれる画像ファイルの縮小画像及び下位フォルダを示す画像を第１の画面内に階層構造を維持させたまま一覧表示する一覧表示手段と、
前記第１の画面内に表示された下位フォルダを示す画像のみを簡略画像を用いて第２の画面内に簡略化して表示する簡略表示手段と、
前記第１の画面内に拡大表示すべき注目領域を前記第２の画面内で設定する設定手段と、
前記設定手段によって設定された前記注目領域に相当する前記一覧表示中の領域に含まれる画像ファイルの縮小画像及び下位フォルダを示す画像を前記第１の画面内に拡大表示する拡大表示手段と
を備えることを特徴とする。
【００１１】
さらに、上記課題を解決するために、本発明に係る画像表示方法は、
画像ファイル及び該画像ファイルを格納するためのフォルダが階層的に記憶されている記憶装置から所定のフォルダを選択する選択工程と、
前記選択工程によって選択されたフォルダ内に含まれる画像ファイルの縮小画像及び下位フォルダを示す画像を第１の画面内に階層構造を維持させたまま一覧表示する一覧表示工程と、
前記第１の画面内に一覧表示された画像ファイルの縮小画像及び下位フォルダを示す画像をそれぞれ簡略画像を用いて第２の画面内に簡略化して表示する簡略表示工程と、
前記第１の画面内に拡大表示すべき一覧表示中の注目領域を前記第２の画面内で設定する設定工程と、
前記設定工程によって設定された前記注目領域に相当する前記一覧表示中の領域に含まれる画像ファイルの縮小画像及び下位フォルダを示す画像を前記第１の画面内に拡大表示する拡大表示工程と
を有することを特徴とする。
【００１２】
さらにまた、上記課題を解決するために、本発明に係る画像表示方法は、
画像ファイル及び該画像ファイルを格納するためのフォルダが階層的に記憶されている記憶装置から所定のフォルダを選択する選択工程と、
前記選択工程によって選択されたフォルダ内に含まれる画像ファイルの縮小画像及び下位フォルダを示す画像を第１の画面内に階層構造を維持させたまま一覧表示する一覧表示工程と、
前記第１の画面内に表示された下位フォルダを示す画像のみを簡略画像を用いて第２の画面内に簡略化して表示する簡略表示工程と、
前記第１の画面内に拡大表示すべき注目領域を前記第２の画面内で設定する設定工程と、
前記設定工程によって設定された前記注目領域に相当する前記一覧表示中の領域に含まれる画像ファイルの縮小画像及び下位フォルダを示す画像を前記第１の画面内に拡大表示する拡大表示工程と
を有することを特徴とする。
【発明の効果】
【００１３】
本発明によれば、フォルダ内の画像ファイル等を矩形枠等で簡略化して表示することによりフォルダの全体イメージを損なうことなくナビゲーション用ウィンドウを表示でき、またウィンドウのリサイズや再描画の場合にもユーザが不快感を感じることなく高速にナビゲーション用ウィンドウを表示することができる。
【００１４】
また、一定サイズ以下や一定階層以下のフォルダや画像ファイルの簡略画像（例えば、矩形枠）を表示しないようにすることによって、より一層ナビゲーション用ウィンドウを高速に表示できる。この場合は、表示されるアイテム数が少なくなるので、ナビゲーション用ウィンドウが小さい場合であってもユーザに不快感を与えない。さらに、フォルダと画像ファイルとの表示態様が異なるようにすることで、ユーザはナビゲーション用ウィンドウを見るだけで、その矩形枠等で表示されているものがフォルダであるのか、或いは画像ファイルであるのかを容易に判別することができる。
【発明を実施するための最良の形態】
【００１５】
以下、図面を参照して、本発明の一実施形態に係る画像表示装置を用いた画像表示処理について詳細に説明する。
【００１６】
＜システム構成＞
図１は、本発明の一実施形態に係る画像表示装置を実現し得るプラットフォームであるコンピュータシステムの構成例を示す図である。図１において、１０１はパーソナルコンピュータ（ＰＣ）本体、１０２はデータを表示するディスプレイ、１０３は代表的なポインティングデバイスであるマウス、１０４はキーボードである。尚、ＰＣ本体１０１には、全体を制御するためのＣＰＵ、ＣＰＵが実行する制御プログラムや各種データを記憶するＲＯＭ、制御時の各種情報を一時的に記憶するＲＡＭ、画像ファイル等を格納するためのハードディスク等が含まれる。
【００１７】
図２は、本発明の一実施形態に係る画像表示装置の全体構成を示すブロック図である。図２において、２０１は、画像ファイル及び当該画像ファイルを格納するためのフォルダが階層的に記憶されているメモリ等の記憶部である。本実施形態では、記憶部２０１は図１に示すＰＣ本体１０１内にあるものするが、ネットワーク等で接続された他装置内に保有されているものであってもよい。
【００１８】
２０２は、記憶部２０１からユーザが画像ファイル等を表示させたいフォルダを選択する選択部である。また、２０３は、選択部２０２によって選択されたフォルダ内に含まれる画像ファイルの縮小画像及び下位フォルダを示す画像を第１の画面（メインウィンドウ）内に一覧表示する一覧表示制御部である。さらに、２０６は、第１の画面内に表示されていた縮小画像等の一覧を簡略化した簡略画像を用いて第２の画面内（ナビゲーション用ウィンドウ）に表示する簡略表示制御部である。
【００１９】
さらにまた、２０４は、簡略表示制御部２０６によって縮小画像等が一覧表示された第２の画面上において第１の画面内に拡大表示すべき縮小画像等を含む注目領域を設定するための設定部である。さらにまた、２０５は、第１の画面内に表示されていた縮小画像等の一覧表示に代えて、設定部２０４によって設定された注目領域に相当する一覧表示中の領域に含まれる縮小画像等を拡大して第１の画面内に表示する拡大表示制御部である。
【００２０】
さらにまた、２０７は、描画条件設定部であり、第１の画面内や第２の画面内に表示される縮小画像の表示条件を設定する。
【００２１】
尚、上述した選択部２０２、一覧表示制御部２０３、設定部２０４、拡大表示制御部２０５、及び簡略表示制御部２０６は、図１に示すＰＣ本体１０１で実現されるものであり、この際のユーザとのインターフェイスとして、マウス１０３やキーボード１０４等が使用される。さらにまた、２０８は表示部であり、前述した第１の画面や第２の画面を表示し、図１に示すディスプレイ１０２で実現されるものである。
【００２２】
また、設定部２０４によってナビゲーション用ウィンドウ上に設定された注目領域のサイズが変更されたり、位置が変更された場合には、それに伴ってメインウィンドウに拡大表示される縮小画像等の表示態様が更新されることとなる。
【００２３】
＜第１の実施形態＞
図３は、あるフォルダ内の画像ファイル及びフォルダをプレビューモード（素通し）で表示した場合の情報ツールチップの画面表示例を示す図である。図３において、ユーザは、３０１のツリービュー内のフォルダを指定することで、そのフォルダ内にある画像ファイルのサムネイル及び下位フォルダを示す矩形枠を表示することができる。
【００２４】
具体的に説明する。図３において、矩形枠に囲まれていない画像ファイル群（縮小画像１〜４）は、ユーザによって選択されたフォルダ内に直接保持されている画像ファイルである。また、矩形枠Ａ〜Ｃで示される縮小画像は、選択されたフォルダの１つ下の階層にあるサブフォルダを示す枠である。さらに、矩形枠Ａ内にある画像ファイル群（縮小画像Ａ−１、Ａ−２）は、ユーザが選択したフォルダの１階層下位にあるサブフォルダ内の画像ファイルである。
【００２５】
同様に、矩形枠Ｂ内にある画像ファイル（縮小画像Ｂ−１）は、ユーザが選択したフォルダの１階層下位にあるサブフォルダ内の画像ファイルを表示している。また、矩形枠Ｂ内にある矩形枠Ｄで示されるフォルダは、ユーザが選択したフォルダの２階層下位にあるサブフォルダである。尚、矩形Ｄで示されるサブフォルダ内には縮小画像Ｄ−１で示される画像ファイルがある。さらにまた、矩形枠Ｃ内には、ユーザが選択したフォルダの２階層下位にある矩形枠Ｅ−１〜Ｅ−９で示されるサブフォルダがある。
【００２６】
図４は、本発明の一実施形態に係る画像表示装置においてあるフォルダが選択され当該フォルダ内の画像ファイル等の拡大表示処理を行ってナビゲーション用の画像を表示する表示処理の一例を説明するためのフローチャートである。
【００２７】
ユーザが画像表示装置を用いて表示させたいフォルダ（描画対象フォルダ）を、メモリ等に階層的に画像ファイルや下位フォルダが記憶されているフォルダの中から選択する（ステップＳ１０１）。次いで、選択された描画対象フォルダ内に存在する未描画の画像ファイルやフォルダを検索する（ステップＳ１０２）。そして、当該検索結果から未描画の画像ファイルやフォルダが存在するか否かを判断する（ステップＳ１０３）。
【００２８】
選択されたフォルダ内に未描画の画像ファイルやフォルダが存在すると判断された場合（Ｙｅｓ）は、さらにそれがフォルダであるか否かが判断される（ステップＳ１０４）。一方、選択されたフォルダ内に未描画の画像ファイルやフォルダが存在しないと判断された場合（Ｎｏ）は、本処理を終了する。
【００２９】
ステップＳ１０４において、描画対象がフォルダではないと判断された場合（Ｎｏ）は描画対象が画像ファイルであると判断し、次いで当該画像ファイルが固定の描画条件、或いはユーザによって設定された任意の描画条件に適合するか否かを判断する（ステップＳ１０５）。尚、画像ファイルの描画条件の詳細については後述する。
【００３０】
その結果、画像ファイルの描画条件に適合すると判断されなかった場合（Ｎｏ）は、当該画像ファイルの描画をすることなくステップＳ１０２に戻って、選択されたフォルダ内に他の画像ファイルやサブフォルダがあるか否かを検索する。一方、画像ファイルの描画条件に適合すると判断された場合（Ｙｅｓ）は、当該画像ファイルの縮小画像の簡略画像（例えば、矩形枠）を描画する（ステップＳ１０６）。そして、ステップＳ１０２に戻って、選択されたフォルダ内に他の画像ファイルやサブフォルダがあるか否かを検索する。尚、画像ファイルの描画条件が特に示されていない場合には、すべての画像ファイルについてステップＳ１０６に進んで、その縮小画像の簡略画像が描画されることとなる。
【００３１】
ステップＳ１０４において、描画対象がフォルダであると判断された場合（Ｙｅｓ）は、次いで当該フォルダが固定の描画条件、或いはユーザによって設定された任意の描画条件に適合するか否かを判断する（ステップＳ１０７）。その結果、フォルダの描画条件に適合すると判断されなかった場合（Ｎｏ）は、当該サブフォルダの描画をすることなくステップＳ１０２に戻って、選択されたフォルダ内に他の画像ファイルやサブフォルダがあるか否かを検索する。一方、フォルダの描画条件に適合すると判断された場合（Ｙｅｓ）は、当該サブフォルダを示す画像の簡略画像（例えば、矩形枠）を描画する（ステップＳ１０８）。尚、フォルダの描画条件が特に示されていない場合には、すべてのフォルダについてステップＳ１０８に進んで、当該フォルダを示す画像の簡略画像が描画されることとなる。
【００３２】
そして、次に描画された当該サブフォルダ内について、上述したステップＳ１０２〜ステップＳ１０８までの処理を行う（ステップＳ１０９）。その後、ステップＳ１０２に戻って、選択されたフォルダ内に他の画像ファイルやサブフォルダがあるか否かを検索する。
【００３３】
図５は、図３で示す一覧表示画像においてある注目領域が設定されたときに当該注目領域が拡大表示されたときの画面表示例を示す図である。図５に示すように、図３では当該フォルダ内に含まれる画像ファイル及び下位フォルダの縮小画像等が一覧表示されていたメインウィンドウ（第１の画面）５１内に注目領域の拡大表示がされている。また、ナビゲーション用のウィンドウ５２が新たに作成されている。
【００３４】
図６は、選択されたフォルダ内のすべての下位フォルダ及び画像ファイルについて表示するようにした場合のナビゲーション用ウィンドウ５２の表示例を示す図である。上述した実施形態では、図３に示した画像ファイル及びフォルダと比較しても明らかなように、ユーザによって選択されたフォルダ内に含まれるすべての画像ファイル及びフォルダに関する矩形枠が表示されている。また、図５に示すメインウィンドウ５１にはある注目領域の拡大画像が表示されているが、ナビゲーション用ウィンドウ５２内には、当該注目領域が図３における一覧表示時の状態においてどの位置でどの程度の範囲を占めているかを示すアイコンが表示されている。本実施形態では、４つのアイコン６１〜６４で囲まれている範囲が注目領域であるが、アイコン以外にも矩形等で表示するようにしてもよい。
【００３５】
また、図６に示すように、本実施形態では、ナビゲーション用ウィンドウ内においては画像ファイルをサムネイル表示するのではなく、データサイズが小さくてすむ矩形枠で表示している。また、フォルダについても同様であるが、同じ矩形枠であっても、ユーザがナビゲーション用ウィンドウを見てフォルダと画像ファイルとを容易に区別することができるように、両者の簡略画像を異なる表示態様で表示するようにしている。すなわち、本実施形態では、画像ファイルの縮小画像の簡略画像を縦長の矩形枠で、フォルダを示す画像の簡略画像を横長の矩形枠で表示するようにしている。
【００３６】
＜第２の実施形態＞
上述した第１の実施形態では、ナビゲーション用ウィンドウ内に、ユーザが選択したフォルダ内に含まれるすべての画像ファイルの矩形枠及びフォルダを示す矩形枠を表示するようにしたが、例えば、一定サイズ以下の下位フォルダや画像ファイルの矩形枠を表示しないようにしてもよい。そこで、図３に示すフォルダＤよりサイズが小さいフォルダ及び画像ファイルについては簡略画像（矩形枠）を表示しないようにする。すなわち、この場合は、フォルダＤの大きさ（サイズ）を閾値として、それよりも大きく表示される画像ファイルの矩形枠及び下位フォルダを示す矩形枠のみをナビゲーション用ウィンドウ内に表示するようにする。
【００３７】
図７は、選択されたフォルダ内の所定サイズ以上の下位フォルダ及び画像ファイルについて表示するようにした場合のナビゲーション用ウィンドウの表示例を示す図である。ここでは、一例としてフォルダＤの大きさを閾値としているので、それよりもサイズが小さいフォルダＥ１〜Ｅ９と画像ファイルＤ−１を示す簡略画像とがナビゲーション用ウィンドウ内には表示されない。
【００３８】
＜第３の実施形態＞
本実施形態では、一定サイズ以下のフォルダや画像ファイルの矩形枠を表示せず、さらにフォルダを非表示とするサイズを画像ファイルよりも小さくするようにする。すなわち、第２の実施形態で説明した条件に対して、さらにフォルダを非表示とするサイズを画像ファイルよりも小さくするようにする。
【００３９】
図８は、選択されたフォルダ内の所定サイズ以上の下位フォルダ及び画像ファイルであって、フォルダを非表示とするサイズを画像ファイルよりも小さくするように表示する場合のナビゲーション用ウィンドウの表示例を示す図である。この処理を行うことによって、例えば、画像ファイルに関しては縮小画像１、２、３、４よりも小さなものは表示しないとし、フォルダに関してはフォルダＥよりも小さいものは表示しないとした場合、図３における画像ファイルの縮小画像Ａ−１、Ａ−２、Ｂ−１、Ｄ−１に関する簡略画像がナビゲーション用ウィンドウ内には表示されない。
【００４０】
＜第４の実施形態＞
本実施形態では、ユーザが選択したフォルダよりも一定階層以下のフォルダや画像ファイルについての矩形枠を表示しないようにする。図９は、ユーザが選択したフォルダよりも２階層以上下位のフォルダや画像ファイルについての簡略画像を表示しないようにした場合のナビゲーション用ウィンドウの表示例を示す図である。すなわち、図３に示すフォルダＡ、Ｂ、Ｃより下位の階層のフォルダ及び画像ファイルの縮小画像（矩形枠）は表示されない。従って、図３に示された画像ファイルの縮小画像Ａ−１、Ａ−２、Ｂ−１、Ｄ−１、及びフォルダＤ、Ｅ１〜Ｅ９に関する簡略画像（矩形枠）がナビゲーション用ウィンドウ内には表示されない。
【００４１】
＜第５の実施形態＞
本実施形態では、ユーザが選択したフォルダよりも一定階層以下のフォルダや画像ファイルに関する矩形枠を表示しないようにし、さらにフォルダを非表示とする階層レベルを画像ファイルよりも下位とした場合のナビゲーション用ウィンドウの表示例を示す図である。図１０は、ユーザが選択したフォルダよりも２階層以上下位の画像ファイルと３階層以上下位のフォルダの矩形枠を表示しないようにした場合のナビゲーション用ウィンドウの表示例を示す図である。すなわち、図３に示される画像ファイル１、２、３、４、フォルダＥ１〜Ｅ９よりも下位階層にあるものは表示しないとした場合は、画像ファイルの縮小画像Ａ−１、Ａ−２、Ｂ−１、Ｄ−１の簡略画像がナビゲーション用ウィンドウには表示されない
＜第６の実施形態＞
上述した実施形態では、画像ファイルの縮小画像やフォルダを示す画像の簡略画像をそれぞれ縦長及び横長の矩形枠で表示したが、いずれか一方を、或いはそれぞれ異なる色付き矩形枠で表示するようにしてもよい。また、簡略画像を示す枠を矩形ではなく他の形状を用いてもよい。さらに、枠の表示形態を実線ではなく、破線等にしてもよい。図１１は、フォルダを内部が無色の矩形枠で、画像ファイルを内部が色付きの矩形枠で表示した場合のナビゲーション用ウィンドウの表示例を示す図である。
【００４２】
＜第７の実施形態＞
本実施形態では、ユーザが選択したフォルダよりも下位のフォルダの簡略画像を全て表示して画像ファイルについての矩形枠は表示しないようにした場合のナビゲーション用ウィンドウを表示する。図１２は、ユーザが選択したフォルダ内の下位のフォルダについての矩形枠のみを表示するようにした場合のナビゲーション用ウィンドウの表示例を示す図である。すなわち、図３に示す画像ファイルの縮小画像１、２、３、４、Ａ−１、Ａ−２、Ｂ−１、Ｄ−１の簡略画像はナビゲーション用ウィンドウ内には表示されない。
【００４３】
＜第８の実施形態＞
本実施形態では、ユーザが選択したフォルダよりも下位のフォルダのみを表示するとともに（すなわち、画像ファイルの縮小画像の簡略画像は全て非表示）、一定サイズ以下のフォルダについての簡略画像を非表示とする場合のナビゲーション用ウィンドウを表示する。図１３は、ユーザが選択したフォルダ内の下位のフォルダについての矩形枠のみを表示し、フォルダＤよりもサイズが小さいフォルダについての矩形枠を非表示にするようにした場合のナビゲーション用ウィンドウの表示例を示す図である。この場合、図３に示す画像ファイルの縮小画像１、２、３、４、Ａ−１、Ａ−２、Ｂ−１、Ｄ−１、及びフォルダを示す画像Ｅ−１〜Ｅ−９の矩形枠はナビゲーション用ウィンドウ内には表示されない。
【００４４】
＜第９の実施形態＞
本実施形態では、ユーザが選択したフォルダよりも下位のフォルダの矩形枠のみを表示するとともに、一定階層以下のフォルダの矩形枠を非表示とする場合のナビゲーション用ウィンドウを表示する。図１４は、ユーザが選択したフォルダ内の下位のフォルダについての矩形枠のみを表示し、かつフォルダを示す画像Ａ、Ｂ、Ｃよりも小さいサイズのフォルダについての矩形枠を非表示にするようにした場合のナビゲーション用ウィンドウの表示例を示す図である。この場合、図３における画像ファイルの縮小画像１、２、３、４、Ａ−１、Ａ−２、Ｂ−１、Ｄ−１、及びフォルダを示す画像Ｄ、Ｅ１〜Ｅ９の矩形枠はナビゲーション用ウィンドウ内には表示されない。
【００４５】
＜その他の実施形態＞
以上、実施形態例を詳述したが、本発明は、例えば、システム、装置、方法、プログラム若しくは記憶媒体（記録媒体）等としての実施態様をとることが可能であり、具体的には、複数の機器から構成されるシステムに適用しても良いし、また、一つの機器からなる装置に適用しても良い。
【００４６】
尚、本発明は、前述した実施形態の機能を実現するソフトウェアのプログラム（実施形態では図に示すフローチャートに対応したプログラム）を、システムあるいは装置に直接あるいは遠隔から供給し、そのシステムあるいは装置のコンピュータが該供給されたプログラムコードを読み出して実行することによっても達成される場合を含む。
【００４７】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【００４８】
その場合、プログラムの機能を有していれば、オブジェクトコード、インタプリタにより実行されるプログラム、ＯＳに供給するスクリプトデータ等の形態であっても良い。
【００４９】
プログラムを供給するための記録媒体（記憶媒体）としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００５０】
その他、プログラムの供給方法としては、クライアントコンピュータのブラウザを用いてインターネットのホームページに接続し、該ホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００５１】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００５２】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行い、その処理によっても前述した実施形態の機能が実現され得る。
【００５３】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００５４】
【図１】本発明の一実施形態に係る画像表示装置を実現し得るプラットフォームであるコンピュータシステムの構成例を示す図である。
【図２】本発明の一実施形態に係る画像表示装置の全体構成を示すブロック図である。
【図３】あるフォルダ内の画像ファイル及びフォルダをプレビューモード（素通し）で表示した場合の情報ツールチップの画面表示例を示す図である。
【図４】本発明の一実施形態に係る画像表示装置においてあるフォルダが選択され当該フォルダ内の画像ファイル等の拡大表示処理を行ってナビゲーション用の画像を表示する表示処理の一例を説明するためのフローチャートである。
【図５】図３で示す一覧表示画像においてある注目領域が設定されたときに当該注目領域が拡大表示されたときの画面表示例を示す図である。
【図６】選択されたフォルダ内のすべての下位フォルダ及び画像ファイルについて表示するようにした場合のナビゲーション用ウィンドウ５２の表示例を示す図である。
【図７】選択されたフォルダ内の所定サイズ以上の下位フォルダ及び画像ファイルについて表示するようにした場合のナビゲーション用ウィンドウの表示例を示す図である。
【図８】選択されたフォルダ内の所定サイズ以上の下位フォルダ及び画像ファイルであって、フォルダを非表示とするサイズを画像ファイルよりも小さくするように表示する場合のナビゲーション用ウィンドウの表示例を示す図である。
【図９】ユーザが選択したフォルダよりも２階層以上下位のフォルダや画像ファイルの簡略画像を表示しないようにした場合のナビゲーション用ウィンドウの表示例を示す図である。
【図１０】ユーザが選択したフォルダよりも２階層以上下位の画像ファイルと３階層以上下位のフォルダの矩形枠を表示しないようにした場合のナビゲーション用ウィンドウの表示例を示す図である。
【図１１】フォルダを内部が無色の矩形枠で、画像ファイルを内部が色付きの矩形枠で表示した場合のナビゲーション用ウィンドウの表示例を示す図である。
【図１２】ユーザが選択したフォルダ内の下位のフォルダについての矩形枠のみを表示するようにした場合のナビゲーション用ウィンドウの表示例を示す図である。
【図１３】ユーザが選択したフォルダ内の下位のフォルダについての矩形枠のみを表示し、フォルダＤよりもサイズが小さいフォルダを非表示にするようにした場合のナビゲーション用ウィンドウの表示例を示す図である。
【図１４】ユーザが選択したフォルダ内の下位のフォルダについての矩形枠のみを表示し、かつフォルダを示す画像Ａ、Ｂ、Ｃよりも小さいサイズのフォルダを示す矩形枠を非表示にするようにした場合のナビゲーション用ウィンドウの表示例を示す図である。
【図１５】従来の画像管理装置による画像管理画面の表示例を示す図である。
【符号の説明】
【００５５】
２０１  記憶部
２０２  選択部
２０３  一覧表示制御部
２０４  設定部
２０５  拡大表示制御部
２０６  簡略表示制御部
２０７  描画条件設定部
２０８  表示部
【図１】
2006072523.tif 000003
【図２】
2006072523.tif 000004
【図３】
2006072523.tif 000005
【図４】
2006072523.tif 000006
【図５】
2006072523.tif 000007
【図６】
2006072523.tif 000008
【図７】
2006072523.tif 000009
【図８】
2006072523.tif 000010
【図９】
2006072523.tif 000011
【図１０】
2006072523.tif 000012
【図１１】
2006072523.tif 000013
【図１２】
2006072523.tif 000014
【図１３】
2006072523.tif 000015
【図１４】
2006072523.tif 000016
【図１５】
2006072523.tif 000017